(57)【特許請求の範囲】
【請求項１】
予め設定された所定数の楽曲データを所定の記録媒体に高速記録し、高速記録を開始してから所定の禁止時間が経過するまで同一の楽曲データを再び高速記録することを禁止するデータ記録装置であって、
高速記録する楽曲データを設定する際、設定対象の楽曲データがその高速記録開始時に高速記録禁止対象であるか否かを判別する判別手段と、
前記判別手段が設定対象の楽曲データはその高速記録開始時に高速記録禁止対象であると判別した場合に、該楽曲データは高速記録禁止対象である旨を提示する提示手段と、
前記判別手段が設定対象の楽曲データはその高速記録開始時に高速記録禁止対象でないと判別した場合に、該楽曲データを高速記録対象の楽曲データとして設定する設定手段と、
前記設定手段が設定した楽曲データを所定の記録媒体に高速記録する記録手段と、
から構成されていることを特徴とするデータ記録装置。
【請求項２】
前記判別手段は、
既に高速記録対象として設定された楽曲データを高速記録するのに要する記録時間を求める求時手段と、
前記設定対象の楽曲データに対する高速記録禁止が解除されるまでの残り時間が前記記録時間より短いか否かを判別することにより、該楽曲データがその高速記録開始時に高速記録禁止対象であるか否かを判別する時間判別手段と、
を備える、ことを特徴とする請求項１に記載のデータ記録装置。
【請求項３】
前記設定手段は、前記判別手段が設定対象の楽曲データはその高速記録開始時に高速記録禁止対象であると判別した場合に、該楽曲データを高速記録対象の楽曲データとして設定しない、ことを特徴とする請求項１又は２に記載のデータ記録装置。
【請求項４】
所定の記録媒体に高速記録され、所定時間内は再び高速記録することを禁止されている楽曲データを示す記録済データ情報を記憶する記憶手段と、
高速記録する楽曲データを設定する際、設定対象の楽曲データを示す情報が、その楽曲データの高速記録開始予定時点で、前記記録済データ情報に含まれることになるか否かを判別する判別手段と、
前記判別手段が設定対象の楽曲データを示す情報が、その楽曲データの高速記録開始予定時点で、前記記録済データ情報に含まれることになると判別した場合に、該楽曲データは高速記録することを禁止されている旨を提示する提示手段と、
前記判別手段が設定対象の楽曲データを示す情報が、その楽曲データの高速記録開始予定時点で、前記記録済データ情報に含まれないと判別した場合に、該楽曲データを高速記録する楽曲データとして設定する設定手段と、
前記設定手段が設定した楽曲データを所定の記録媒体に高速記録する記録手段と、
から構成されていることを特徴とするデータ記録装置。
【請求項５】
前記設定手段は、前記判別手段が設定対象の楽曲データを示す情報が、その楽曲データの高速記録開始予定時点で、前記記録済データ情報に含まれることになると判別した場合に、該楽曲データを高速記録する楽曲データとして設定しない、ことを特徴とする請求項４に記載のデータ記録装置。
【請求項６】
予め設定された所定数の楽曲データを所定の記録媒体に高速記録し、高速記録を開始してから所定の禁止時間が経過するまで同一の楽曲データを再び高速記録することを禁止するデータ記録方法であって、
高速記録する楽曲データを設定する際、設定対象の楽曲データがその高速記録開始時に高速記録禁止対象であるか否かを判別する判別工程と、
前記判別工程で設定対象の楽曲データはその高速記録開始時に高速記録禁止対象であると判別した場合に、該楽曲データは高速記録禁止対象である旨を提示する提示工程と、
前記判別工程で設定対象の楽曲データはその高速記録開始時に高速記録禁止対象でないと判別した場合に、該楽曲データを高速記録対象の楽曲データとして設定する設定工程と、
前記設定工程で設定した楽曲データを所定の記録媒体に高速記録する記録工程と、
を備えることを特徴とするデータ記録方法。
【請求項７】
前記判別工程は、
既に高速記録対象として設定された楽曲データを高速記録するのに要する記録時間を求める求時工程と、
前記設定対象の楽曲データに対する高速記録禁止が解除されるまでの残り時間が前記記録時間より短いか否かを判別することにより、該楽曲データがその高速記録開始時に高速記録禁止対象であるか否かを判別する時間判別工程と、
を備える、ことを特徴とする請求項６に記載のデータ記録方法。
【請求項８】
前記設定工程は、前記判別工程で設定対象の楽曲データはその高速記録開始時に高速記録禁止対象であると判別した場合に、該楽曲データを高速記録対象の楽曲データとして設定しない工程を備える、ことを特徴とする請求項６又は７に記載のデータ記録方法。
【請求項９】
所定の記録媒体に高速記録され、所定時間内は再び高速記録することを禁止されている楽曲データを示す記録済データ情報を記憶する記憶工程と、
高速記録する楽曲データを設定する際、設定対象の楽曲データを示す情報が、その楽曲データの高速記録開始予定時点で、前記記録済データ情報に含まれることになるか否かを判別する判別工程と、
前記判別工程で設定対象の楽曲データを示す情報が、その楽曲データの高速記録開始予定時点で、前記記録済データ情報に含まれることになると判別した場合に、該楽曲データは高速記録することを禁止されている旨を提示する提示工程と、
前記判別工程で設定対象の楽曲データを示す情報が、その楽曲データの高速記録開始予定時点で、前記記録済データ情報に含まれないと判別した場合に、該楽曲データを高速記録する楽曲データとして設定する設定工程と、
前記設定工程で設定した楽曲データを所定の記録媒体に高速記録する記録工程と、
を備えることを特徴とするデータ記録方法。
【請求項１０】
前記設定工程は、前記判別工程で設定対象の楽曲データを示す情報が、その楽曲データの高速記録開始予定時点で、前記記録済データ情報に含まれることになると判別した場合に、該楽曲データを高速記録する楽曲データとして設定しない工程を備える、ことを特徴とする請求項９に記載のデータ記録方法。
【請求項１１】
コンピュータを、
予め設定された所定数の楽曲データを所定の記録媒体に高速記録し、高速記録を開始してから所定の禁止時間が経過するまで同一の楽曲データを再び高速記録することを禁止するデータ記録装置であって、
高速記録する楽曲データを設定する際、設定対象の楽曲データがその高速記録開始時に高速記録禁止対象であるか否かを判別する判別手段と、
前記判別手段が設定対象の楽曲データはその高速記録開始時に高速記録禁止対象であると判別した場合に、該楽曲データは高速記録禁止対象である旨を提示する提示手段と、
前記判別手段が設定対象の楽曲データはその高速記録開始時に高速記録禁止対象でないと判別した場合に、該楽曲データを高速記録対象の楽曲データとして設定する設定手段と、
前記設定手段が設定した楽曲データを所定の記録媒体に高速記録する記録手段と、
から構成されていることを特徴とするデータ記録装置として機能させるためのプログラムを記録したコンピュータ読み取り可能な記録媒体。
【請求項１２】
コンピュータを、
所定の記録媒体に高速記録され、所定時間内は再び高速記録することを禁止されている楽曲データを示す記録済データ情報を記憶する記憶手段と、
高速記録する楽曲データを設定する際、設定対象の楽曲データを示す情報が、その楽曲データの高速記録開始予定時点で、前記記録済データ情報に含まれることになるか否かを判別する判別手段と、
前記判別手段が設定対象の楽曲データを示す情報が、その楽曲データの高速記録開始予定時点で、前記記録済データ情報に含まれることになると判別した場合に、該楽曲データは高速記録することを禁止されている旨を提示する提示手段と、
前記判別手段が設定対象の楽曲データを示す情報が、その楽曲データの高速記録開始予定時点で、前記記録済データ情報に含まれないと判別した場合に、該楽曲データを高速記録する楽曲データとして設定する設定手段と、
前記設定手段が設定した楽曲データを所定の記録媒体に高速記録する記録手段と、
から構成されていることを特徴とするデータ記録装置として機能させるためのプログラムを記録したコンピュータ読み取り可能な記録媒体。
【発明の詳細な説明】
【０００１】
【発明の属する技術分野】
本発明は、データ記録装置に関し、特に、著作権保護機能を有するデータ記録装置に関する。また、本発明は、著作権を保護すると共にデータを高速度で記録する方法に関する。さらに、本発明は、著作権を保護すると共にデータを高速度で記録するためのプログラムを記録した記録媒体に関する。
【０００２】
【従来の技術】
ＣＤ（Compact Disc）等に記録されている楽曲データをダビングする際、ＭＤ（Mini Disc ）等の光磁気ディスクを用いることにより、音質の劣化等をほとんど伴わずに楽曲データをＭＤ等に記録することができる。
【０００３】
オーディオ装置を用いて楽曲データをＣＤからＭＤにダビングする際、通常の再生速度よりも早い速度（倍速以上）でダビングすることにより、短時間で楽曲データをＭＤに記録することができる。
【０００４】
しかし、以上のような高速ダビングを連続して行うことにより、同一の楽曲データが多量にコピーされてしまう。このため、高速ダビングを行った場合、所定のダビング禁止時間内（例えば７４分間）は再度高速ダビングすることを禁止することにより、著作権を保護するオーディオ装置がある。
【０００５】
【発明が解決しようとする課題】
オーディオ装置の利用者が高速ダビングする楽曲データとそのダビング順をプログラムできるオーディオ装置は、利用者のプログラムに従って、所定の楽曲データを高速ダビングする。
【０００６】
しかし、上記著作権保護機能を備えたオーディオ装置は、所定のダビング禁止時間が経過しない限り、同一の楽曲データを再び高速ダビングすることはできない。このため、プログラムした楽曲データの中に高速ダビング禁止対象の楽曲データが含まれていると、オーディオ装置は、途中で高速ダビングを中止したり、高速ダビング禁止対象の楽曲データのみを飛ばして高速ダビングを行う。
【０００７】
オーディオ装置の利用者は、プログラムした楽曲データがＭＤに記録されていないため、再びプログラムをやり直したりしなければならならず、所定の楽曲データを高速ダビングするのに時間がかかってしまう場合がある。
以上のように、著作権保護機能を備えたオーディオ装置は、著作権の保護と、効率の良いデータの記録とを同時に実現することができないという問題がある。
【０００８】
従って、本発明は、著作権を保護すると共に、効率よくデータの記録を行うデータ記録装置及びデータ記録方法を提供することを目的とする。また、本発明は、著作権を保護すると共に、効率よくデータの記録を行うことを可能にする記録媒体を提供することを目的とする。
【０００９】
【課題を解決するための手段】
上記目的を達成するために、本発明の第１の観点にかかるデータ記録装置は、予め設定された所定数の楽曲データを所定の記録媒体に高速記録し、高速記録を開始してから所定の禁止時間が経過するまで同一の楽曲データを再び高速記録することを禁止するデータ記録装置であって、高速記録する楽曲データを設定する際、設定対象の楽曲データがその高速記録開始時に高速記録禁止対象であるか否かを判別する判別手段と、前記判別手段が設定対象の楽曲データはその高速記録開始時に高速記録禁止対象であると判別した場合に、該楽曲データは高速記録禁止対象である旨を提示する提示手段と、前記判別手段が設定対象の楽曲データはその高速記録開始時に高速記録禁止対象でないと判別した場合に、該楽曲データを高速記録対象の楽曲データとして設定する設定手段と、前記設定手段が設定した楽曲データを所定の記録媒体に高速記録する記録手段と、から構成されていることを特徴とする。
この発明によれば、データの著作権を保護すると共に、データを効率よく記録することができる。
【００１０】
前記判別手段は、既に高速記録対象として設定された楽曲データを高速記録するのに要する記録時間を求める求時手段と、前記設定対象の楽曲データに対する高速記録禁止が解除されるまでの残り時間が前記記録時間より短いか否かを判別することにより、該楽曲データがその高速記録開始時に高速記録禁止対象であるか否かを判別する時間判別手段と、を備えてもよい。
【００１１】
前記設定手段は、前記判別手段が設定対象の楽曲データはその高速記録開始時に高速記録禁止対象であると判別した場合に、該楽曲データを高速記録対象の楽曲データとして設定しなくてもよい。
【００１２】
本発明の第２の観点にかかるデータ記録装置は、所定の記録媒体に高速記録され、所定時間内は再び高速記録することを禁止されている楽曲データを示す記録済データ情報を記憶する記憶手段と、高速記録する楽曲データを設定する際、設定対象の楽曲データを示す情報が、その楽曲データの高速記録開始予定時点で、前記記録済データ情報に含まれることになるか否かを判別する判別手段と、前記判別手段が設定対象の楽曲データを示す情報が、その楽曲データの高速記録開始予定時点で、前記記録済データ情報に含まれることになると判別した場合に、該楽曲データは高速記録することを禁止されている旨を提示する提示手段と、前記判別手段が設定対象の楽曲データを示す情報が、その楽曲データの高速記録開始予定時点で、前記記録済データ情報に含まれないと判別した場合に、該楽曲データを高速記録する楽曲データとして設定する設定手段と、前記設定手段が設定した楽曲データを所定の記録媒体に高速記録する記録手段と、から構成されていることを特徴とする。
【００１３】
前記設定手段は、前記判別手段が設定対象の楽曲データを示す情報が、その楽曲データの高速記録開始予定時点で、前記記録済データ情報に含まれることになると判別した場合に、該楽曲データを高速記録する楽曲データとして設定しなくてもよい。
【００１４】
本発明の第３の観点にかかるデータ記録方法は、予め設定された所定数の楽曲データを所定の記録媒体に高速記録し、高速記録を開始してから所定の禁止時間が経過するまで同一の楽曲データを再び高速記録することを禁止するデータ記録方法であって、高速記録する楽曲データを設定する際、設定対象の楽曲データがその高速記録開始時に高速記録禁止対象であるか否かを判別する判別工程と、前記判別工程で設定対象の楽曲データはその高速記録開始時に高速記録禁止対象であると判別した場合に、該楽曲データは高速記録禁止対象である旨を提示する提示工程と、前記判別工程で設定対象の楽曲データはその高速記録開始時に高速記録禁止対象でないと判別した場合に、該楽曲データを高速記録対象の楽曲データとして設定する設定工程と、前記設定工程で設定した楽曲データを所定の記録媒体に高速記録する記録工程と、を備えることを特徴とする。
【００１５】
前記判別工程は、既に高速記録対象として設定された楽曲データを高速記録するのに要する記録時間を求める求時工程と、前記設定対象の楽曲データに対する高速記録禁止が解除されるまでの残り時間が前記記録時間より短いか否かを判別することにより、該楽曲データがその高速記録開始時に高速記録禁止対象であるか否かを判別する時間判別工程と、を備えてもよい。
【００１６】
前記設定工程は、前記判別工程で設定対象の楽曲データはその高速記録開始時に高速記録禁止対象であると判別した場合に、該楽曲データを高速記録対象の楽曲データとして設定しない工程を備えてもよい。
【００１７】
本発明の第４の観点にかかるデータ記録方法は、所定の記録媒体に高速記録され、所定時間内は再び高速記録することを禁止されている楽曲データを示す記録済データ情報を記憶する記憶工程と、高速記録する楽曲データを設定する際、設定対象の楽曲データを示す情報が、その楽曲データの高速記録開始予定時点で、前記記録済データ情報に含まれることになるか否かを判別する判別工程と、前記判別工程で設定対象の楽曲データを示す情報が、その楽曲データの高速記録開始予定時点で、前記記録済データ情報に含まれることになると判別した場合に、該楽曲データは高速記録することを禁止されている旨を提示する提示工程と、前記判別工程で設定対象の楽曲データを示す情報が、その楽曲データの高速記録開始予定時点で、前記記録済データ情報に含まれないと判別した場合に、該楽曲データを高速記録する楽曲データとして設定する設定工程と、前記設定工程で設定した楽曲データを所定の記録媒体に高速記録する記録工程と、を備えることを特徴とする。
【００１８】
前記設定工程は、前記判別工程で設定対象の楽曲データを示す情報が、その楽曲データの高速記録開始予定時点で、前記記録済データ情報に含まれることになると判別した場合に、該楽曲データを高速記録する楽曲データとして設定しない工程を備えてもよい。
【００１９】
本発明の第５の観点にかかるコンピュータ読み取り可能な記録媒体は、コンピュータを、予め設定された所定数の楽曲データを所定の記録媒体に高速記録し、高速記録を開始してから所定の禁止時間が経過するまで同一の楽曲データを再び高速記録することを禁止するデータ記録装置であって、高速記録する楽曲データを設定する際、設定対象の楽曲データがその高速記録開始時に高速記録禁止対象であるか否かを判別する判別手段と、前記判別手段が設定対象の楽曲データはその高速記録開始時に高速記録禁止対象であると判別した場合に、該楽曲データは高速記録禁止対象である旨を提示する提示手段と、前記判別手段が設定対象の楽曲データはその高速記録開始時に高速記録禁止対象でないと判別した場合に、該楽曲データを高速記録対象の楽曲データとして設定する設定手段と、前記設定手段が設定した楽曲データを所定の記録媒体に高速記録する記録手段と、から構成されていることを特徴とするデータ記録装置として機能させるためのプログラムを記録している。
【００２０】
本発明の第６の観点にかかるコンピュータ読み取り可能な記録媒体は、コンピュータを、所定の記録媒体に高速記録され、所定時間内は再び高速記録することを禁止されている楽曲データを示す記録済データ情報を記憶する記憶手段と、高速記録する楽曲データを設定する際、設定対象の楽曲データを示す情報が、その楽曲データの高速記録開始予定時点で、前記記録済データ情報に含まれることになるか否かを判別する判別手段と、前記判別手段が設定対象の楽曲データを示す情報が、その楽曲データの高速記録開始予定時点で、前記記録済データ情報に含まれることになると判別した場合に、該楽曲データは高速記録することを禁止されている旨を提示する提示手段と、前記判別手段が設定対象の楽曲データを示す情報が、その楽曲データの高速記録開始予定時点で、前記記録済データ情報に含まれないと判別した場合に、該楽曲データを高速記録する楽曲データとして設定する設定手段と、前記設定手段が設定した楽曲データを所定の記録媒体に高速記録する記録手段と、から構成されていることを特徴とするデータ記録装置として機能させるためのプログラムを記録している。
【００２１】
【発明の実施の形態】
次に、本発明の実施の形態にかかる記録再生装置について図面を参照して説明する。
本発明の実施の形態にかかる記録再生装置は、オーディオ装置等に備えられ、ＣＤ（Compact Disc）に記録されている楽曲データをＭＤ（Mini Disc ）に高速度で記録（高速ダビング）する。
【００２２】
上記記録再生装置は、図１に示すように、ＣＤ再生部１と、ＭＤ記録再生部２と、ＤＡＣ（デジタル／アナログコンバータ）３と、メモリ４と、操作部５と、表示部６と、タイマ７と、コントローラ８と、から構成されている。
【００２３】
ＣＤ再生部１は、ＣＤを所定速度で回転させるスピンドルモータ、所定波長のレーザ光をＣＤに照射し、ＣＤに記録されている情報（データ）を読み出す光ピックアップ、光ピックアップをＣＤの径方向に移動させるスレッドモータ、及び、ＤＳＰ（Digital Signal Processor）等から構成されている。ＣＤ再生部１は、複数枚のＣＤを収納し、ＣＤに記録されているＴＯＣ（Table Of Contents ）情報から、ＣＤに記録されている全楽曲データを通常速度で再生する際にかかるトータル再生時間、記録されている楽曲データの数（トラック数）、及び、通常速度で再生する際にかかる各楽曲データの個別再生時間等を取得する。ＣＤ再生部１に収納される各ＣＤは、その収納位置に応じて、例えばディスク１、ディスク２、・・・というディスク番号により区別される。ＣＤ再生部１は、ディスク番号、トータル再生時間、トラック数、及び、個別再生時間をそれぞれ対応付け、ＣＤトラック情報としてコントローラ８に出力する。また、ＣＤ再生部１は、ＣＤに記録されている楽曲データを通常速度で再生（通常再生）し、又は、高速度で再生（高速再生）し、ＭＤ記録再生部２及びＤＡＣ３に出力する。
【００２４】
ＭＤ記録再生部２は、ＭＤを所定速度で回転させるスピンドルモータ、ＭＤに情報（データ）を記録する磁気ヘッド、ＭＤに所定波長のレーザ光を照射し、ＭＤに記録されている情報（データ）を読み出す光ピックアップ、磁気ヘッド及び光ピックアップをＭＤの径方向に移動させるスレッドモータ、及び、ＤＳＰ（Digital Signal Processor）等から構成されている。ＭＤ記録再生部２は、所定位置にセットされたＭＤに記録されているＴＯＣ情報から、ＭＤに記録されている楽曲データの数（トラック数）等を取得し、ＭＤトラック情報としてコントローラ８に出力する。また、ＭＤ記録再生部２は、ＣＤ再生部１から供給される楽曲データをＭＤに記録する。具体的には、ＭＤ記録再生部２は、ＣＤ再生部１が通常再生した楽曲データを通常速度で記録（通常録音）し、ＣＤ再生部１が高速再生した楽曲データを高速度で記録（高速録音）する。また、ＭＤ記録再生部２は、ＭＤに記録されている楽曲データを再生し、再生した楽曲データをＤＡＣ３に出力する。
【００２５】
ＤＡＣ３は、ＣＤ再生部１及びＭＤ記録再生部２から供給される楽曲データをアナログの楽曲信号に変換し、変換した楽曲信号を所定のアンプ及びスピーカ等を介して音声として出力する。
【００２６】
メモリ４は、ＲＡＭ（Random Access Memory）等を備え、上記ＣＤトラック情報及び上記ＭＤトラック情報を記憶する。また、メモリ４は、高速ダビング対象として設定された楽曲データの個別再生時間の和をプログラム総時間として記憶する。また、メモリ４は、高速ダビング対象の楽曲データを示すダビング対象リスト、及び、高速ダビング済みの楽曲データを示す曲管理テーブルを記憶する。ダビング対象リストは、例えば図２（ａ）に示すように、高速ダビングの順番（ダビング順）と、高速ダビング対象の楽曲データを示す再生トラックとがそれぞれ対応付けられて構成されている。曲管理テーブルは、例えば図２（ｂ）に示すように、高速ダビングの順番（ダビング順）、高速ダビング済みの楽曲データを示す再生トラック、及び、著作権を保護するために楽曲データ毎に設定されるダビング禁止時間（例えば７４分）の残り時間がそれぞれ対応付けられて構成されている。なお、再生トラックは、例えば楽曲データが記録されているＣＤの種類を示すトータル再生時間（DISC TOTAL TIME ）とトラック数（MAX TNO ）、及び、楽曲データが何番目に記録されているかを示すトラック番号（TNO ）を示す。また、ダビング禁止時間の残り時間は、コントローラ８によって所定時間（例えば１分）毎に更新される。
【００２７】
操作部５は、複数の操作ボタン等を備え、記録再生装置の利用者による所定操作に従って、様々な信号等をコントローラ８に出力する。例えば、操作部５は、上記ダビング対象リストを作成するプログラム設定処理の開始を指示するプログラム開始信号、及び、高速ダビング処理の開始を指示する高速ダビング信号等をコントローラ８に出力する。
【００２８】
表示部６は、所定のマークや文字列等を表示し、利用者に記録再生装置の動作状況等を示す。
タイマ７は、コントローラ８の制御に従って時間を計測する。そして、タイマ７は、所定時間（例えば１分）毎に、所定時間が経過したことを示す経過信号をコントローラ８に出力する。これにより、楽曲データ毎に設定された上記ダビング禁止時間がカウントされ、曲管理テーブルに記録されているダビング禁止時間の残り時間が更新される。
【００２９】
コントローラ８は、ＣＰＵ（Central Processing Unit ）及び周辺ＬＳＩ（Large Scale Integration ）等から構成されるマイクロコンピュータ等から構成されている。コントローラ８は、上記ダビング対象リストを作成し、楽曲データの高速ダビングを行い、上記曲管理テーブルを作成する。また、コントローラ８は、タイマ７から供給される上記経過信号に応答して、曲管理テーブルに記録されているダビング禁止時間の残り時間を更新する。そして、コントローラ８は、残り時間がゼロとなった楽曲データに関する情報を、例えば所定データを上書きすることにより曲管理テーブルから完全に消去する。この消去により、曲管理テーブルに記録されている各楽曲データのダビング順は、１つずつ自動的に繰り上がる。なお、コントローラ８の詳しい動作については後述する。
【００３０】
次に、以上のように構成された記録再生装置の動作について説明する。
（１）高速ダビングする楽曲データを設定する場合
始めに、記録再生装置の利用者は、高速ダビングの設定対象である楽曲データを記録している所定枚数のＣＤをＣＤ再生部１にセットし、ダビング先であるＭＤをＭＤ記録再生部２にセットする。
【００３１】
ＣＤ再生部１は、セットされた各ＣＤのＴＯＣ情報から、ＣＤのトータル再生時間、トラック数、及び、個別再生時間等を取得し、上記ＣＤトラック情報を生成してコントローラ８に出力する。
ＭＤ記録再生部２は、セットされたＭＤのＴＯＣ情報から、ＭＤのトラック数等を取得し、上記ＭＤトラック情報を生成してコントローラ８に出力する。
【００３２】
コントローラ８は、ＣＤ再生部１から供給されるＣＤトラック情報、及び、ＭＤ記録再生部２から供給されるＭＤトラック情報をメモリ４に記憶させる。
次に、記録再生装置の利用者は、高速ダビングする楽曲データを設定するために、操作部５が備える所定の操作ボタンを押下する。これにより、操作部５は、プログラム設定処理の開始を指示するプログラム開始信号をコントローラ８に出力する。
【００３３】
コントローラ８は、操作部５からのプログラム開始信号に応答して、図３に示すプログラム設定処理を開始する。
始めに、コントローラ８は、メモリ４が記憶しているプログラム総時間をクリアする。具体的には、コントローラ８は、メモリ４のプログラム総時間をゼロにセットする（ステップＳ１０１）。
【００３４】
記録再生装置の利用者は、操作部５を所定の手順で操作し、設定する順番に従って、設定対象の楽曲データを１つ選択する。具体的には、利用者は、操作部５を所定の手順で操作し、設定対象の楽曲データが記録されているＣＤのディスク番号、及び、設定対象の楽曲データが何番目に記録されているかを示すトラック番号を選択する。これにより、操作部５は、利用者が選択したＣＤのディスク番号及びトラック番号をコントローラ８に出力する。
【００３５】
コントローラ８は、操作部５からのディスク番号及びトラック番号と、メモリ４のＣＤトラック情報と、から設定対象の楽曲データを特定し、特定した楽曲データを示す情報がメモリ４の曲管理テーブルに記録されているか否かを判別する（ステップＳ１０２）。これにより、コントローラ８は、設定対象の楽曲データが、高速ダビング禁止対象であるか否かを判別する。
【００３６】
記録されていないと判別した場合（ステップＳ１０２；ＮＯ）、コントローラ８は、後述するステップＳ１０６の処理を行う。
一方、記録されていると判別した場合（ステップＳ１０２；ＹＥＳ）、コントローラ８は、設定対象の楽曲データがその高速ダビング開始時にも高速ダビング禁止対象であるか否かを判別する（ステップＳ１０３）。具体的には、コントローラ８は、後述するステップＳ１０６でメモリ４に記録するプログラム総時間から、設定対象の楽曲データがその高速ダビング開始時にも高速ダビング禁止対象であるか否かを判別する。
【００３７】
例えば、２つの楽曲データが高速ダビング対象として既に設定されている場合、この２つの楽曲データの個別再生時間の和が上記プログラム総時間としてメモリ４に記録されている。コントローラ８は、メモリ４からこのプログラム総時間を取得し、高速ダビング対象として既に設定した２つの楽曲データを高速ダビングするのに要するダビング時間を求める。具体的には、コントローラ８は、例えば（プログラム総時間）÷（高速ダビングの速度倍率）を計算してダビング時間を求める。また、コントローラ８は、設定対象の楽曲データに対して設定されているダビング禁止時間の残り時間を曲管理テーブルから取得する。そして、コントローラ８は、取得した残り時間が上記ダビング時間より短いか否かを判別する。
【００３８】
上記ダビング時間は、設定対象である楽曲データの高速ダビングが実際に開始されるまでの時間より短い。このため、ダビング禁止時間の残り時間がダビング時間よりも短ければ、設定対象の楽曲データは、その高速ダビング開始時には、高速ダビング禁止対象から除外されていると判別することができる。
【００３９】
残り時間はダビング時間よりも長いと判別した場合、即ち、高速ダビング開始時にも高速ダビング禁止対象であると判別した場合（ステップＳ１０３；ＹＥＳ）、コントローラ８は、表示部６を制御し、設定対象の楽曲データは高速ダビング禁止対象であり、高速ダビングされない可能性がある旨の警告メッセージを表示する（ステップＳ１０４）。これにより、コントローラ８は、設定対象の楽曲データを高速ダビング対象の楽曲データとして設定するか否かを記録再生装置の利用者に確認する。なお、コントローラ８は、設定対象の楽曲データに設定された高速ダビング禁止時間の残り時間を、上記警告メッセージと共に表示してもよい。
【００４０】
設定対象の楽曲データをダビング対象の楽曲データとして設定しない場合、記録再生装置の利用者は、操作部５を操作して、設定の取り消しを行う。これにより、操作部５は、設定の取り消しを指示する取消信号をコントローラ８に出力する。
【００４１】
コントローラ８は、所定時間以内に、操作部５から上記取消信号が供給されるか否かを判別する（ステップＳ１０５）。
取消信号が供給されないと判別した場合（ステップＳ１０５；ＮＯ）、コントローラ８は、設定対象の楽曲データをダビング対象の楽曲データとして設定すると判別し、後述するステップＳ１０６の処理を行う。
一方、取消信号が供給されたと判別した場合（ステップＳ１０５；ＹＥＳ）、コントローラ８は、後述するステップＳ１０７の処理を行う。
【００４２】
上記ステップＳ１０３の処理で、残り時間はダビング時間よりも短いと判別した場合、即ち、高速ダビング開始時には高速ダビング禁止対象でないと判別した場合（ステップＳ１０３；ＮＯ）、コントローラ８は、設定対象の楽曲データをダビング対象の楽曲データとして設定する。具体的には、コントローラ８は、新たにダビング対象となった楽曲データを示す情報をメモリ４のダビング対象リストに記録する。また、コントローラ８は、メモリ４のＣＤトラック情報から新たにダビング対象となった楽曲データの個別再生時間を取得し、上記プログラム総時間に追加する（ステップＳ１０６）。
【００４３】
その後、コントローラ８は、操作部５からプログラム設定処理の終了を指示するプログラム終了信号が供給されるか、次の設定対象である楽曲データを示すディスク番号及びトラック番号が供給されるかを判別する（ステップＳ１０７）。ディスク番号及びトラック番号が供給されたと判別した場合（ステップＳ１０７；番号）、コントローラ８は、ステップＳ１０２にリターンする。
一方、プログラム終了信号を供給されたと判別した場合（ステップＳ１０７；終了）、コントローラ８は、プログラム設定処理を終了する。
【００４４】
以上のようにして、高速ダビング対象である楽曲データとそのダビング順がプログラムされる。即ち、高速ダビング対象である楽曲データとそのダビング順を示すダビング対象リストが作成される。また、上記したように、設定対象の楽曲データがその高速ダビング開始時にも高速ダビング禁止対象である可能性がある場合は、高速ダビングされない可能性が記録再生装置の利用者に通知される。これにより、記録再生装置の利用者は、高速ダイビングを実際に開始する前に、高速ダビングされない可能性のある楽曲データの存在を知ることができる。
【００４５】
（２）プログラムされた楽曲データを高速ダビングする場合
上記プログラム設定処理が終了した後、記録再生装置の利用者は、楽曲データを高速ダビングするために、操作部５が備える所定の操作ボタンを押下する。これにより、操作部５は、高速ダビング処理の開始を指示する高速ダビング信号をコントローラ８に出力する。
【００４６】
コントローラ８は、操作部５から供給される高速ダビング信号に応答して、図４に示す高速ダビング処理を開始する。
始めに、コントローラ８は、メモリ４が記憶しているダビング対象リストを取得する（ステップＳ２０１）。
【００４７】
そして、コントローラ８は、ダビング対象リストに記録されている楽曲データの内の１つ、例えばダビング順が１番目の楽曲データは、メモリ４の曲管理テーブルに記録されているか否かを判別する（ステップＳ２０２）。これにより、コントローラ８は、ダビング対象の楽曲データが高速ダビング禁止対象であるか否かを判別する。
記録されていると判別した場合（ステップＳ２０２；ＹＥＳ）、コントローラ８は、後述するステップＳ２０４の処理を行う。
【００４８】
一方、記録されていないと判別した場合（ステップＳ２０２；ＮＯ）、コントローラ８は、ＣＤ再生部１及びＭＤ記録再生部２を制御し、記録されていないと判別した楽曲データをＣＤからＭＤに高速ダビングする（ステップＳ２０３）。この際、コントローラ８は、高速ダビングする楽曲データを示す情報（トータル再生時間、トラック数、及び、トラック番号）をメモリ４の曲管理テーブルに記録する。また、コントローラ８は、曲管理テーブルの残り時間にダビング禁止時間（例えば７４分）を記録することにより、高速ダビングする楽曲データに対するダビング禁止時間を設定する。また、高速ダビングの開始時にタイマ７が動作していない場合、コントローラ８は、タイマ７を動作させて時間をカウントさせる。
【００４９】
その後、コントローラ８は、メモリ４のダビング対象リストを参照し、次のダビング対象である楽曲データが存在するか否かを判別する（ステップＳ２０４）。
存在すると判別した場合（ステップＳ２０４；ＹＥＳ）、コントローラ８は、ステップＳ２０２にリターンし、ダビング順が次の楽曲データについて上記処理を行う。
一方、存在しないと判別した場合（ステップＳ２０４；ＮＯ）、コントローラ８は、高速ダビング処理を終了する。
【００５０】
以上のようにして、所定の楽曲データがＣＤからＭＤに順次高速ダビングされる。また、高速ダビングする楽曲データを設定する際、高速ダビング開始時に高速ダビング禁止対象である可能性がある楽曲データについては、警告メッセージ等により記録再生装置の利用者にその旨が通知される。これにより、記録再生装置の利用者は、高速ダビングできない楽曲データの存在を事前に知ることができ、高速ダビングの開始を遅らせる等の対策を立てることができる。従って、高速ダビングする楽曲データの設定等をやり直す必要がなく、所定の楽曲データを効率よく高速ダビングすることができる。
【００５１】
（具体例）
次に、上記記録再生装置の動作を具体例により説明する。
１．具体例１
始めに、記録再生装置の利用者が、高速ダビングする楽曲データとその順番を設定する場合について説明する。なお、高速ダビングは通常速度の２倍の速度で行われるとする。
【００５２】
記録再生装置の利用者は、それぞれ異なるＣＤに記録されている３つの楽曲データを高速ダビングすることを設定する。具体的には、１番目にディスク２のトラック１に記録されている楽曲データを、２番目にディスク１のトラック３に記録されている楽曲データを、３番目にディスク３のトラック１に記録されている楽曲データを高速ダビングすることを設定する。なお、２番目の楽曲データを示す情報は、メモリ４の曲管理テーブルに記録されているとする。
【００５３】
記録再生装置の利用者は、設定対象である楽曲データを記録している３枚のＣＤをＣＤ再生部１にセットし、ダビング先であるＭＤをＭＤ記録再生部２にセットする。なお、ダビング先であるＭＤには楽曲データが１つも記録されていないとする。
【００５４】
ＣＤ再生部１は、セットされた各ＣＤのＴＯＣ情報から、ＣＤのトータル再生時間、トラック数、及び、個別再生時間等を取得し、例えば図５（ａ）に示すＣＤトラック情報を生成してコントローラ８に出力する。
ＭＤ記録再生部２は、セットされたＭＤのＴＯＣ情報から、ＭＤのトラック数等を取得し、例えば図５（ｂ）に示すＭＤトラック情報を生成してコントローラ８に出力する。
【００５５】
コントローラ８は、ＣＤ再生部１から供給されるＣＤトラック情報、及び、ＭＤ記録再生部２から供給されるＭＤトラック情報をメモリ４に記憶させる。
次に、記録再生装置の利用者は、高速ダビングする楽曲データを設定するために、操作部５が備える所定の操作ボタンを押下する。これにより、操作部５は、プログラム開始信号をコントローラ８に出力する。
【００５６】
コントローラ８は、操作部５からのプログラム開始信号に応答して、図３に示すプログラム設定処理を開始する。
始めに、コントローラ８は、メモリ４が記憶しているプログラム総時間をクリアする（ステップＳ１０１）。
【００５７】
記録再生装置の利用者は、操作部５を所定の手順で操作し、始めに、１番目の設定対象である楽曲データが記録されているＣＤのディスク番号（ディスク２）及びトラック番号（トラック１）を選択する。操作部５は、利用者が選択したＣＤのディスク番号（ディスク２）及びトラック番号（トラック１）をコントローラ８に出力する。
【００５８】
コントローラ８は、操作部５からのＣＤのディスク番号及びトラック番号と、メモリ４のＣＤトラック情報と、から設定対象の楽曲データを特定し、特定した楽曲データを示す情報がメモリ４の曲管理テーブルに記録されているか否かを判別する（ステップＳ１０２）。なお、メモリ４は、図６（ａ）に示す曲管理テーブルを記憶している。
この場合、コントローラ８は、ディスク２のトラック１に記録されている楽曲データを示す情報は、曲管理テーブルに記録されていないと判別する（ステップＳ１０２；ＮＯ）。
【００５９】
そして、コントローラ８は、ディスク２のトラック１に記録されている楽曲データをダビング対象の楽曲データとして設定する。具体的には、コントローラ８は、図６（ｂ）に示すように、ディスク２のトラック１に記録されている楽曲データをダビング順が１番目の楽曲データとして設定し、この楽曲データを示す情報をメモリ４のダビング対象リストに記録する。また、コントローラ８は、メモリ４のＣＤトラック情報からディスク２のトラック１に記録されている楽曲データの個別再生時間（１２分）を取得し、プログラム総時間に追加する（ステップＳ１０６）。
【００６０】
その後、コントローラ８は、操作部５からプログラム設定処理の終了を指示するプログラム終了信号が供給されるか、次の設定対象である楽曲データを示すディスク番号及びトラック番号が供給されるかを判別する（ステップＳ１０７）。
【００６１】
この場合、記録再生装置の利用者は、操作部５を操作し、２番目の設定対象である楽曲データが記録されているＣＤのディスク番号（ディスク１）及びトラック番号（トラック３）を選択する。操作部５は、利用者が選択したＣＤのディスク番号（ディスク１）及びトラック番号（トラック３）をコントローラ８に出力する。
【００６２】
コントローラ８は、ディスク番号及びトラック番号が供給されたと判別し（ステップＳ１０７；番号）、ステップＳ１０２にリターンして上記処理を行う。但し、ディスク１のトラック３に記録されている楽曲データを示す情報は、図６（ａ）に示すように、曲管理テーブルに記録されている。このため、コントローラ８は、ステップＳ１０２の処理で、ディスク１のトラック３に記録されている楽曲データを示す情報がメモリ４の曲管理テーブルに記録されていると判別する（ステップＳ１０２；ＹＥＳ）。
【００６３】
続いて、コントローラ８は、ディスク１のトラック３に記録されている楽曲データがその高速ダビング開始時にも高速ダビング禁止対象であるか否かを判別する（ステップＳ１０３）。具体的には、コントローラ８は、メモリ４からプログラム総時間を取得し、上記ダビング時間を求める。この場合、プログラム総時間は１２分であるので、ダビング時間は１２÷２＝６分である。また、コントローラ８は、ディスク１のトラック３に記録されている楽曲データに対して設定されているダビング禁止時間の残り時間を曲管理テーブルから取得する。図６（ａ）に示すように、残り時間は７４分である。そして、コントローラ８は、取得した残り時間が上記ダビング時間より短いか否かを判別する。
【００６４】
この場合、コントローラ８は、残り時間はダビング時間よりも長い、即ち、高速ダビング開始時にも高速ダビング禁止対象であると判別する（ステップＳ１０３；ＹＥＳ）。そして、コントローラ８は、表示部６を制御し、設定対象の楽曲データは高速ダビング禁止対象であり、高速ダビングされない可能性がある旨の警告メッセージを表示する（ステップＳ１０４）。これにより、コントローラ８は、設定対象の楽曲データを高速ダビング対象の楽曲データとして設定するか否かを記録再生装置の利用者に確認する。なお、コントローラ８は、設定対象の楽曲データに設定された高速ダビング禁止時間の残り時間（７４分）を、上記警告メッセージと共に表示してもよい。
【００６５】
その後、コントローラ８は、所定時間以内に、操作部５から設定の取消を指示する取消信号が供給されるか否かを判別する（ステップＳ１０５）。
コントローラ８は、所定時間内に上記取消信号が供給されないと判別した場合（ステップＳ１０５；ＮＯ）、ディスク１のトラック３に記録されている楽曲データをダビング対象の楽曲データとして設定すると判別する。
【００６６】
そして、コントローラ８は、図６（ｂ）に示すように、ディスク１のトラック３に記録されている楽曲データをダビング順が２番目の楽曲データとして設定し、この楽曲データを示す情報をメモリ４のダビング対象リストに記録する。また、コントローラ８は、メモリ４のＣＤトラック情報からディスク１のトラック３に記録されている楽曲データの個別再生時間（１０分）を取得し、プログラム総時間に追加する（ステップＳ１０６）。
【００６７】
その後、コントローラ８は、操作部５からプログラム設定処理の終了を示すプログラム終了信号が供給されるか、次の設定対象である楽曲データを示すディスク番号及びトラック番号が供給されるかを判別する（ステップＳ１０７）。
この場合、記録再生装置の利用者は、操作部５を操作し、３番目の設定対象である楽曲データが記録されているＣＤのディスク番号（ディスク３）及びトラック番号（トラック１）を選択する。操作部５は、利用者が選択したＣＤのディスク番号（ディスク３）及びトラック番号（トラック１）をコントローラ８に出力する。
【００６８】
コントローラ８は、ディスク番号及びトラック番号が供給されたと判別し（ステップＳ１０７；番号）、ステップＳ１０２にリターンして上記処理を行う。但し、ディスク３のトラック１に記録されている楽曲データを示す情報は、図６（ａ）に示すように、曲管理テーブルに記録されていない。このため、コントローラ８は、ステップＳ１０２の処理で、ディスク３のトラック１に記録されている楽曲データを示す情報がメモリ４の曲管理テーブルに記録されていないと判別する（ステップＳ１０２；ＮＯ）。
【００６９】
そして、コントローラ８は、上記と同様にして、図６（ｂ）に示すように、ディスク３のトラック１に記録されている楽曲データをダビング順が３番目の楽曲データとして設定し、この楽曲データを示す情報をメモリ４のダビング対象リストに記録する。また、コントローラ８は、メモリ４のＣＤトラック情報からディスク３のトラック１に記録されている楽曲データの個別再生時間（８分）を取得し、プログラム総時間に追加する（ステップＳ１０６）。
【００７０】
その後、コントローラ８は、操作部５からプログラム設定処理の終了を示すプログラム終了信号が供給されるか、次の設定対象である楽曲データを示すディスク番号及びトラック番号が供給されるかを判別する（ステップＳ１０７）。
【００７１】
この場合、設定対象の楽曲データは３つであるので、記録再生装置の利用者は、プログラム設定処理を終了するために、操作部５が備える所定の操作ボタンを押下する。これにより、操作部５は、プログラム終了信号をコントローラ８に出力する。
これにより、コントローラ８は、プログラム終了信号を供給されたと判別し（ステップＳ１０７；終了）、プログラム設定処理を終了する。
【００７２】
以上のようにして、高速ダビング対象である楽曲データとそのダビング順が設定され、高速ダビング対象である楽曲データとそのダビング順を示すダビング対象リストが作成される。また、上記したように、設定対象の楽曲データがその高速ダビング開始時にも高速ダビング禁止対象である可能性がある場合は、高速ダビングされない可能性がある旨が記録再生装置の利用者に通知される。これにより、記録再生装置の利用者は、高速ダビングを実際に開始する前に、高速ダビングされない可能性のある楽曲データの存在を知ることができる。
【００７３】
２．具体例２
次に、具体例１で設定された３つの楽曲データを高速ダビングする場合について説明する。なお、ダビング順が２番目の楽曲データは、その高速ダビング開始時にも高速ダビング禁止対象であるとする。
記録再生装置の利用者は、上記プログラム設定処理が終了した後、楽曲データを高速ダビングするために、操作部５が備える所定の操作ボタンを押下する。これにより、操作部５は、高速ダビング信号をコントローラ８に出力する。
【００７４】
コントローラ８は、操作部５から供給される高速ダビング信号に応答して、図４に示す高速ダビング処理を開始する。
始めに、コントローラ８は、図６（ｂ）に示すダビング対象リストをメモリ４から取得する（ステップＳ２０１）。
【００７５】
そして、コントローラ８は、ダビング対象リストで示されるダビング順が１番目の楽曲データを示す情報は、メモリ４の曲管理テーブルに記録されているか否かを判別する（ステップＳ２０２）。
【００７６】
この場合、図６（ａ）及び図６（ｂ）に示すように、ダビング対象リストで示されるダビング順が１番目の楽曲データは曲管理テーブルに記録されていない。このため、コントローラ８は、記録されていないと判別し（ステップＳ２０２；ＮＯ）、ＣＤ再生部１及びＭＤ記録再生部２を制御し、ダビング対象リストで示されるダビング順が１番目の楽曲データをＣＤからＭＤに高速ダビングする（ステップＳ２０３）。
【００７７】
この際、コントローラ８は、高速ダビングする楽曲データを示す情報（トータル再生時間、トラック数、及び、トラック番号）を、図７（ａ）に示すように、曲管理テーブルに記録する。また、コントローラ８は、曲管理テーブルの残り時間にダビング禁止時間（例えば７４分）を記録することにより、高速ダビングする楽曲データに対するダビング禁止時間を設定する。また、高速ダビングの開始時にタイマ７が動作していない場合、コントローラ８は、タイマ７を動作させて時間をカウントさせる。
【００７８】
その後、コントローラ８は、メモリ４のダビング対象リストを参照し、次のダビング対象である楽曲データが存在するか否かを判別する（ステップＳ２０４）。
この場合、コントローラ８は、存在すると判別し（ステップＳ２０４；ＹＥＳ）、ステップＳ２０２にリターンし、図６（ｂ）のダビング対象リストでダビング順が２番目の楽曲データを示す情報は、メモリ４の曲管理テーブルに記録されているか否かを判別する。
【００７９】
この場合、図６（ａ）及び図６（ｂ）に示すように、ダビング対象リストで示されるダビング順が２番目の楽曲データは曲管理テーブルに記録されている。このため、コントローラ８は、記録されていると判別し（ステップＳ２０２；ＹＥＳ）、メモリ４のダビング対象リストに、次のダビング対象である楽曲データが存在するか否かを判別する（ステップＳ２０４）。
【００８０】
この場合、コントローラ８は、存在すると判別し（ステップＳ２０４；ＹＥＳ）、ステップＳ２０２にリターンし、図６（ｂ）のダビング対象リストでダビング順が３番目の楽曲データについて、上記処理を行う。
【００８１】
ダビング対象リストで示されるダビング順が３番目の楽曲データを示す情報は、図６（ａ）及び図６（ｂ）に示すように、曲管理テーブルに記録されていない。このため、コントローラ８は、ＣＤ再生部１及びＭＤ記録再生部２を制御し、ダビング対象リストで示されるダビング順が３番目の楽曲データをＣＤからＭＤに高速ダビングする（ステップＳ２０３）。
【００８２】
この際、コントローラ８は、高速ダビングする楽曲データを示す情報（トータル再生時間、トラック数、及び、トラック番号）を、図７（ｂ）に示すように、曲管理テーブルに記録する。また、コントローラ８は、曲管理テーブルの残り時間にダビング禁止時間（例えば７４分）を記録することにより、高速ダビングする楽曲データに対するダビング禁止時間を設定する。
【００８３】
その後、コントローラ８は、メモリ４のダビング対象リストを参照し、次のダビング対象である楽曲データが存在するか否かを判別する（ステップＳ２０４）。
この場合、コントローラ８は、存在しないと判別し（ステップＳ２０４；ＮＯ）、高速ダビング処理を終了する。
【００８４】
以上のようにして、所定の楽曲データがＣＤからＭＤに順次高速ダビングされる。また、高速ダビング開始時に高速ダビング禁止対象である楽曲データは、高速ダビングされないので、楽曲データの著作権を保護することができる。また、高速ダビングする楽曲データを設定する際、高速ダビング開始時に高速ダビング禁止対象である可能性がある楽曲データについては、メッセージ等により記録再生装置の利用者にその旨が通知される。これにより、記録再生装置の利用者は、高速ダビングできない楽曲データの存在を事前に知ることができ、高速ダビングの開始を遅らせる等の対策を立てることができる。従って、高速ダビングする楽曲データの設定等をやり直す必要がなく、所定の楽曲データを効率よく高速ダビングすることができる。
【００８５】
なお、コントローラ８は、上記プログラム設定処理のステップＳ１０３で設定対象の楽曲データがその高速ダビング開始時にも高速ダビング禁止対象であると判別した場合、利用者に確認することなく、その楽曲データを高速ダビング対象として設定しなくてもよい。具体的には、コントローラ８は、上記プログラム設定処理のステップＳ１０５の処理を行わなくてもよい。なお、警告メッセージは、設定対象の楽曲データが高速ダビング禁止対象であることを利用者に通知するためだけに表示されてもよい。
【００８６】
また、コントローラ８は、上記プログラム設定処理のステップＳ１０４で表示する警告メッセージ等を、ステップＳ１０２の処理で曲管理テーブルに記録されていると判別した場合に表示してもよい。
【００８７】
また、コントローラ８は、上記プログラム設定処理のステップＳ１０２で曲管理テーブルに記録されていると判別した場合、設定対象の楽曲データを高速ダビング対象として設定せず、ステップＳ１０７の処理を行ってもよい。具体的には、コントローラ８は、ステップＳ１０２で曲管理テーブルに記録されていると判別した場合、ステップＳ１０３、Ｓ１０４、及び、１０５の処理を行わずに、ステップＳ１０７の処理を行ってもよい。但し、コントローラ８は、ステップＳ１０２で曲管理テーブルに記録されていると判別した場合、上記警告メッセージ等を表示して、設定対象の楽曲データが高速ダビング禁止対象であることを利用者に通知してもよい。
【００８８】
また、設定対象の楽曲データが高速ダビング禁止対象である旨を利用者に提示する方法は、上記警告メッセージを表示する方法に限定されない。例えば、設定対象の楽曲データが高速ダビング禁止対象である旨を、音声や警告ランプ等により利用者に提示してもよい。
【００８９】
また、上記曲管理テーブルの再生トラックに記録される楽曲データの種類を示す情報は、楽曲データを特定することができれば何でもよい。例えば、楽曲データが示す楽曲固有の情報であるＩＳＲＣ（International Standard Recording Code ）等を用いてもよい。
【００９０】
また、上記記録再生装置は、ＣＤからＭＤへの楽曲データの高速ダビングだけでなく、プログラムやデータ等の高速ダビング一般に適用することができる。例えば、ＣＤ−ＲＡＭ、ＤＶＤ−ＲＡＭ等の記録媒体に画像データやプログラム等を高速ダビングする場合にも適用することができる。
【００９１】
また、本発明の装置は、専用の装置を用いる必要はなく、通常のコンピュータにより実現することができる。例えば、コンピュータに上記した各処理を実行させるためのプログラム及びデータを記録媒体（フロッピーディスク、ＣＤ−ＲＯＭ等）に記録して配布し、これをインストールしてＯＳ上で実行することにより、この発明の装置を実現できる。
また、プログラム及びデータは、ＣＤ−ＲＯＭ等に限らず、通信回線等を介して配布してもよい。
【００９２】
【発明の効果】
以上の説明から明らかなように、本発明によって、データの著作権を保護すると共に、データを効率よく記録することができる。
【図面の簡単な説明】
【図１】本発明の実施の形態にかかる記録再生装置の構成図である。
【図２】（ａ）は、図１に示す記録再生装置を構成するコントローラが作成するダビング対象リストを示す図であり、（ｂ）は、コントローラが作成する曲管理テーブルを示す図である。
【図３】図１に示す記録再生装置を構成するコントローラが行うプログラム設定処理を示すフローチャートである。
【図４】図１に示す記録再生装置を構成するコントローラが行う高速ダビング処理を示すフローチャートである。
【図５】図１に示す記録再生装置を構成するメモリが記憶するＣＤトラック情報とＭＤトラック情報の具体例を示す図である。
【図６】（ａ）は、図１に示す記録再生装置を構成するメモリが記憶する曲管理テーブルの具体例を示す図であり、（ｂ）は、コントローラが作成するダビング対象リストの具体例を示す図である。
【図７】（ａ）は、１つ目の楽曲データの高速ダビングを開始した後の曲管理テーブルの具体例を示す図であり、（ｂ）は、２つ目の楽曲データの高速ダビングを開始した後の曲管理テーブルの具体例を示す図である。
【符号の説明】
１  ＣＤ再生部
２  ＭＤ記録再生部
３  ＤＡＣ（デジタル／アナログコンバータ）
４  メモリ
５  操作部
６  表示部
７  タイマ
８  コントローラ
【図１】
0003875828.tif 000002
【図２】
0003875828.tif 000003
【図３】
0003875828.tif 000004
【図４】
0003875828.tif 000005
【図５】
0003875828.tif 000006
【図６】
0003875828.tif 000007
【図７】
0003875828.tif 000008